(57)【特許請求の範囲】
【請求項１】
戸車を有する引き戸の下に位置して、溝状のレール溝内を前記戸車が走行することにより引き戸を摺動可能に支持する引き戸下レールであって、
その引き戸下レールは、引き戸により分割される一方側の室内に面する雌部材と、
その雌部材に並列に固定されて、引き戸により分割される他方側の室内に面する雄部材とを備え、
雄部材は、戸車の一方の側面側に接してレール溝の一方の斜面を形成する雄側レール斜面を備え、
雌部材は、戸車の他方の側面側に接してレール溝の他方の斜面を形成する雌側レール斜面を備えており、
前記雄側レール斜面および雌側レール斜面でレール溝が形成されるとともに、
前記雌部材には、雄部材側に突出する雌側張出部が設けられ、この雌側張出部に雄部材が上下方向において係合されることにより、雄部材が雌部材に固定されていることを特徴とする引き戸下レール。
【請求項２】
引き戸により分割される一方側の室内の床面と、引き戸により分割される他方側の室内の床面とが段差を有している場合に、雄部材及び雌部材の少なくともいずれか一方には、雄部材と雌部材との上面が面一となるように段差を調整可能な段差調整部を備えたことを特徴とする請求項１記載の引き戸下レール。
【請求項３】
引き戸により分割される各部屋を構成する部材の色模様が部屋毎に異なる場合に、雄部材及び雌部材の色模様をそれらが各々面する部屋の色模様に対応させて形成したことを特徴とする請求項１または請求項２記載の引き戸下レール。
【請求項４】
雄部材は、雄部材の表面から外方に向かって突出する突出部を備え、
雌部材は、雄部材の突出部がはめ込まれるはめ込み部を備え、
突出部の表面及びはめ込み部の表面には、弾性変形することにより、はめ込み部の内部に突出部を挿入可能とし、互いに噛み合ってはめ込み部の内部に突出部を固定する凹凸部を備えていることを特徴とする請求項１、請求項２または請求項３記載の引き戸下レール。
【請求項５】
レール溝の斜面の下部には、ほこりを斜面の下に貯留可能とするために、下方に向かって凹状に凹んだほこり溜めを備え、
ほこり溜めは、ほこり溜めの雄部材側の側面を形成するために雄側レール斜面の下端から下方に延びる雄側立設部と、ほこり溜めの雌部材側の側面を形成するために雌側レール斜面の下端から下方に延びる雌側立設部と、ほこり溜めの底面を形成するために前記雄側立設部又は雌側立設部のいずれか一方から他方に向かって横方向に延びる張出部とを備えていることを特徴とする請求項１、請求項２、請求項３または請求項４記載の引き戸下レール。
【請求項６】
引き戸下レールは、セルロース系材料の微粉末の表面に、この微粉末よりも小径でかつ固い微粉末を担持させて形成した粉体を混合した樹脂を着色成形することによって木目模様を呈するように形成したことを特徴とする請求項１、請求項２、請求項３、請求項４または請求項５記載の引き戸下レール。
【発明の詳細な説明】
【０００１】
【産業上の利用分野】
この発明は引き戸下レール、更に詳しくは、２分割可能であって、和室と洋室との境目に設置しても両者の模様や色調を壊すことなく、違和感のないようにした引き戸下レールに関するものである。
【０００２】
【従来の技術】
引き戸下レールは、戸車を有する引き戸の下に位置して、溝状のレール溝内を前記戸車が走行することにより引き戸を摺動可能に支持するものである。
従来の引き戸下レールは、レール溝を有する一体物、あるいはレール溝の部分を引き戸下レールの本体に取り付けるもの等が形成されていた。また、レール溝の内部には、ほこりや塵がレール溝の内部に入り込んでも戸車の移動に支障をきたさないように、レール溝の最下部にほこりや塵を溜めることができるほこり溜めを形成する場合があった。
【０００３】
【発明が解決しようとする課題】
しかし、上記した従来の引き戸下レールにおいて、一体物、あるいはレール溝の部分を別に形成するもののいずれの場合でも、引き戸下レールの表面から内部に入り込んだ凹状のレール溝を形成するのは容易ではなかった。特にレール溝内の最下部に形成するほこり溜めは、レール溝内部の奥深いところに位置しているため、加工により形成するのは容易ではなかった。
【０００４】
また、引き戸により２つに分割される各部屋の色模様が異なる場合、特に一方側が和室で他方側が洋室の場合、いずれか一方側の部屋の色模様に合わせると、そのままでは他方側の部屋の色模様に適応しないという問題点があった。
そこで、請求項１記載の発明は、上記した従来の技術の有する問題点に鑑みてなされたものであり、その目的とするところは、容易にレール溝を得ることができる引き戸下レールを提供しようとするものである。
【０００５】
これに加え、請求項２記載の発明は、床面に段差を有する部屋間に適用可能な引き戸下レールを提供しようとするものである。
これに加え、請求項３記載の発明は、引き戸により分割される部屋の表面の色模様が異なる場合、各部屋に面する部材の色模様を各部屋の色模様に対応することができ、室内デザインを統一することができる引き戸下レールを提供しようとするものである。
【０００６】
これに加え、請求項４記載の発明は、現場での組立作業が容易な引き戸下レールを提供しようとするものである。
これに加え、請求項５記載の発明は、容易な加工によって、ほこり溜めを形成することにより、清掃を頻繁にする必要がなく、維持管理が容易な引き戸下レールを提供しようとするものである。
【０００７】
これに加え、請求項６記載の発明は、木目模様を呈するように形成した引き戸下レールを提供しようとするものである。
なお、上記の課題を解決する技術を、日本特許情報機構（ＪＡＰＩＯ）の先行技術調査（パトリス）の利用により、以下の検索式で昭和５５年以後の特許出願、実用新案登録出願を調査した。
【０００８】
検索式  ：  Ｅ０６Ｂ１／７０Ｚ
その結果、特許出願３件、実用新案登録出願７７件を抽出した。しかし、この先行技術調査によっては、本願発明と同一の技術は発見できなかった。
【０００９】
【課題を解決するための手段】
本発明は、上記した目的を達成するためのものであり、以下にその内容を図面に示した実施例を用いて説明する。
請求項１記載の発明は、戸車(51)を有する引き戸(50)の下に位置して、溝状のレール溝(12)内を前記戸車(51)が走行することにより引き戸(50)を摺動可能に支持する引き戸下レール(10)であって、その引き戸下レール(10)は、引き戸(50)により分割される一方側の室内に面する雌部材(20)と、その雌部材(20)に並列に固定されて、引き戸(50)により分割される他方側の室内に面する雄部材(30)とを備え、雄部材(30)は、戸車(51)の一方の側面側に接してレール溝(12)の一方の斜面を形成する雄側レール斜面(33)を備え、雌部材(20)は、戸車(51)の他方の側面側に接してレール溝(12)の他方の斜面を形成する雌側レール斜面(22)を備えており、前記雄側レール斜面(33)および雌側レール斜面(22)でレール溝(12)が形成されるとともに、前記雌部材(20)には、雄部材(30)側に突出する雌側張出部(24)が設けられ、この雌側張出部(24)に雄部材(30)が上下方向において（上方または下方から）係合されることにより、雄部材(30)が雌部材(20)に固定されていることを特徴とする。
【００１０】
請求項２記載の発明は、上記した請求項１記載の特徴点に加え、引き戸（５０）により分割される一方側の室内の床面と、引き戸（５０）により分割される他方側の室内の床面とが段差を有している場合に、雄部材（３０）と雌部材（２０）との少なくともいずれか一方には、雄部材（３０）及び雌部材（２０）の上面が面一となるように段差を調整可能な段差調整部（４２）を備えたことを特徴とする。
【００１１】
請求項３記載の発明は、上記した請求項１または請求項２記載の特徴点に加え、引き戸（５０）により分割される各部屋を構成する部材の色模様が部屋毎に異なる場合に、雄部材（３０）及び雌部材（２０）の色模様をそれらが各々面する部屋の色模様に対応させて形成したことを特徴とする。
請求項４記載の発明は、上記した請求項１、請求項２または請求項３記載の特徴点に加え、雄部材（３０）は、雄部材（３０）の表面から外方に向かって突出する突出部（３２）を備え、雌部材（２０）は、雄部材（３０）の突出部（３２）がはめ込まれるはめ込み部（２１）を備え、突出部（３２）の表面及びはめ込み部（２１）の表面には、弾性変形することにより、はめ込み部（２１）の内部に突出部（３２）を挿入可能とし、互いに噛み合ってはめ込み部（２１）の内部に突出部（３２）を固定する凹凸部（８０）を備えていることを特徴とする。
【００１２】
請求項５記載の発明は、上記した請求項１、請求項２、請求項３または請求項４記載の特徴点に加え、レール溝（１２）の斜面の下部には、ほこりを斜面の下に貯留可能とするために、下方に向かって凹状に凹んだほこり溜め（１１）を備え、ほこり溜め（１１）は、ほこり溜め（１１）の雄部材（３０）側の側面を形成するために雄側レール斜面（３３）の下端から下方に延びる雄側立設部（３４）と、ほこり溜め（１１）の雌部材（２０）側の側面を形成するために雌側レール斜面（２２）の下端から下方に延びる雌側立設部（２３）と、ほこり溜め（１１）の底面を形成するために前記雄側立設部（３４）又は雌側立設部（２３）のいずれか一方から他方に向かって横方向に延びる張出部（例えば雌側張出部２４）とを備えていることを特徴とする。
【００１３】
なお、張出部(24)をいずれか一方から他方に向かって横方向に延びるとしたのは、雌部材(20)のはめ込み部(21)に雄部材(30)の突出部(32)が上方からはめ込まれる場合と、雄部材(30)の突出部(32)に雌部材(20)のはめ込み部(21)が上方からはめ込まれる場合とがあるからである。すなわち、雌部材(20)のはめ込み部(21)が雄部材(30)の突出部(32)の下方に位置する場合は、雌側張出部(24)がほこり溜め(11)の底面を形成し、雄部材(30)の突出部(32)が雌部材(20)のはめ込み部(21)の下方に位置する場合は、雄側張出部(35)がほこり溜め(11)の底面を形成することになる。
【００１４】
請求項６記載の発明は、上記した請求項１、請求項２、請求項３、請求項４または請求項５記載記載の特徴点に加え、引き戸下レール（１０）は、セルロース系材料の微粉末の表面に、この微粉末よりも小径でかつ固い微粉末を担持させて形成した粉体を混合した樹脂を着色成形することによって木目模様を呈するように形成したことを特徴とする。
【００１５】
【作用】
最初に、請求項１記載の発明に係る引き戸下レールの作用について説明する。
引き戸下レール(10)は、レール溝(12)の一方の斜面を有する雄部材(30)と、レール溝(12)の他方の斜面を有する雌部材(20)とから分割されている。このため、雄部材(30)と雌部材(20)とを並列に沿わせて組み合わせることにより、レール溝(12)を形成するための切削加工を施すことなく、容易にレール溝(12)を形成することができる。
【００１６】
つぎに、請求項２記載の発明に係る引き戸下レールの作用について説明する。雄部材（３０）及び雌部材（２０）の少なくともいずれか一方には、段差調整部（４２）を形成している。このため、引き戸（５０）により分割される各室内の床面とが段差を有していても、雄部材（３０）及び雌部材（２０）の上面を面一にすることができ、段差を調整するために引き戸下レール（１０）とは別の他の調整材を形成しなくても良い。
【００１７】
つぎに、請求項３記載の発明に係る引き戸下レールの作用について説明する。雄部材（３０）及び雌部材（２０）は、その各々の色模様をそれらが各々面する部屋の色模様に対応させて形成することができる。このため、引き戸（５０）により分割される各部屋の室内表面の色模様が異なる場合にも、引き戸下レール（１０）の色模様を各部屋の色模様に合わせることができ、各部屋の室内デザインを統一のとれたものとすることができる。
【００１８】
つぎに、請求項４記載の発明に係る引き戸下レールの作用について説明する。現場において、雄部材（３０）及び雌部材（２０）を組み合わせて引き戸下レール（１０）を組み立てる場合、雌部材（２０）のはめ込み部（２１）の内部に雄部材（３０）の突出部（３２）をはめ込む。すなわち、雄部材（３０）の突出部（３２）を雌部材（２０）のはめ込み部（２１）の内部に押し込むと、突出部（３２）の表面及びはめ込み部（２１）の表面に形成されている凹凸部（８０）が、互いに押されて弾性変形することにより、雄部材（３０）の突出部（３２）は、雌部材（２０）のはめ込み部（２１）の内部に容易に挿入される。
【００１９】
そして、一旦、雌部材（２０）のはめ込み部（２１）の内部に雄部材（３０）の突出部（３２）が挿入されると、はめ込み部（２１）の表面に形成された凹凸部（８０）が、突出部（３２）の表面に形成された凹凸部（８０）に噛み合い、両者は固定される。
つぎに、請求項５記載の発明に係る引き戸下レールの作用について説明する。雄部材（３０）と雌部材（２０）とを組むと、雄側レール斜面（３３）と雌側レール斜面（２２）との下方に雄側立設部（３４）と雌側立設部（２３）とが位置し、これらの底には張出部（２４）が位置して、ほこり溜め（１１）が形成される。このため、レール溝（１２）の奥深い位置に凹状の部分を加工で形成することなく、雄部材（３０）と雌部材（２０）とを組み合わせるだけで、ほこり溜め（１１）を容易に形成することができる。
【００２０】
レール溝（１２）の斜面の下部には、凹状のほこり溜め（１１）が形成されている。このため、レール溝（１２）に入ったほこりは、先ず、レール溝（１２）の斜面に溜まることなく、ほこり溜め（１１）に溜まることになる。これにより、ほこりが斜面の表面に付着して、斜面を摺動する戸車（５１）の移動を阻害することを低減することができる。したがって、レール溝（１２）の斜面にほこりが付着しないように、頻繁に清掃する必要がなく、維持管理が容易となる。
【００２１】
つぎに、請求項６載の発明に係る引き戸下レールの作用について説明する。
引き戸下レール（１０）を、セルロース系材料の微粉末の表面に、この微粉末よりも小径でかつ固い微粉末を担持させて形成した粉体を混合した樹脂を着色成形することによって木目模様を呈するように形成したので、外部から見える部材に木目模様を出すことができる。
【００２２】
【実施例】
以下、本発明を実施例及び図面に基づいて、更に詳しく説明する。
図１乃至図３は、本発明の第１実施例を示すものであり、図１は引き戸下レールの縦断面図、図２は引き戸下レールの分解組立図、図３は引き戸下レールの拡大縦断面図をそれぞれ示す。
【００２３】
まず、本実施例の構成について説明する。
本実施例に係る引き戸下レール１０は、和室６０と洋室７０との間を分割する引き戸５０の下にあって、和室６０の床を形成する和室床部材６１の洋室７０側の端部と洋室７０の床を形成する洋室床部材７１の和室６０側の端部との間に位置するものである。そして、引き戸下レール１０は、前記引き戸５０の下端の戸車５１が引き戸下レール１０の表面上に設けたＶ溝状のレール溝１２内を走行させることにより引き戸５０を摺動可能に支持するものである。
【００２４】
具体的には、引き戸下レール１０は、引き戸５０により分割される一方側の室内、すなわち和室６０に面する雌部材２０と、その雌部材２０に固定されて、引き戸５０により分割される他方側の室内、すなわち洋室７０に面する雄部材３０とを備えている。前記雄部材３０は、縦断面形状が方形状であって洋室床面７２の和室６０側の端部に当接する雄部材本体３６と、この雄部材本体３６の和室６０側にあって雄部材本体３６の上端から和室６０側に向かって張り出した雄側張出部３５とを備えている。前記雄部材本体３６の内部には、使用材料の量を低減するために、長手方向に沿って中空状に形成された中空部１３が形成されている。前記雄側張出部３５は、戸車５１の洋室７０に面する側面側に接してレール溝１２の洋室７０側の斜面を形成する雄側レール斜面３３と、この雄側レール斜面３３の下端から下方に向かって立設する雄側立設部３４と、雄側張出部３５の下側の表面から下方に向かって突出する突出部３２とを備えている。
【００２５】
前記雌部材２０は、縦断面形状が方形状で和室床面６２の洋室７０側の端部に当接する雌部材本体２５と、この雌部材本体２５の洋室７０側にあって、雌部材本体２５の下端から洋室７０側に向かって張り出した雌側張出部２４とを備えている。前記雌部材本体２５の内部には、使用材料の量を低減するために、長手方向に沿って中空状に形成された中空部１３が雄部材本体３６と同様に形成されている。前記雌側張出部２４は、戸車５１の和室６０に面する側面側に接してレール溝１２の和室６０側の斜面を形成する雌側レール斜面２２と、この雌側レール斜面２２の下端から下方に向かって立設する雌側立設部２３と、前記雄部材３０の突出部３２をはめ込むために雌側張出部２４の上側表面にあって上方に向かって開口するはめ込み部２１とを備えている。
【００２６】
そして、前記雄側レール斜面３３及び雌側レール斜面２２により、Ｖ溝状のレール溝１２が形成されている。また、前記雄側立設部３４と雌側立設部２３と雌部材２０の雌側張出部２４とに囲まれた部分により、下方に向かって凹状に凹んだほこり溜め１１が形成されている。このほこり溜め１１は、レール溝１２の内部に入り込んだほこりをレール溝１２の斜面の下に貯留可能とするものである。
【００２７】
また、前記突出部３２の外側表面及びはめ込み部２１の内側表面には、弾性変形することにより、はめ込み部２１の内部に突出部３２を挿入可能とし、互いに噛み合ってはめ込み部２１の内部に突出部３２を固定する凹凸部８０を備えている。
また、引き戸下レール１０の雄部材３０及び雌部材２０は、引き戸５０により分割される各部屋を構成する部材の色模様が和室６０と洋室７０とで部屋毎に異なるため、雄部材３０及び雌部材２０の色模様をそれらが各々面する部屋の色模様に対応させて形成してある。すなわち、和室６０は白木調の色模様であり、洋室７０は黒っぽい色調の色模様に形成されている。そして、雌部材２０の表面の色模様は和室６０を形成する部材の白木調の色模様に合わせて形成され、雄部材３０の表面の色模様は洋室７０を形成する部材の黒っぽい色調の色模様に合わせて形成されている。
【００２８】
さらに、引き戸下レール１０は、セルロース系材料の微粉末の表面に、この微粉末よりも小径でかつ固い微粉末を担持させて形成した粉体を混合した樹脂を着色成形することによって木目模様を呈するように形成してある。
次に、上記した実施例の作用及び効果について説明する。
現場において、雄部材３０及び雌部材２０を組み合わせて引き戸下レール１０を組み立てる場合、先ず、雌部材２０を和室６０の和室床部材６１の端部と当接する位置にはめ込み部２１を上方に向けた状態で設置する。
【００２９】
つぎに、雌部材２０のはめ込み部２１の内部に雄部材３０の突出部３２がはまり込むように、雄部材３０を雌部材２０の上方に持ってくる。
つぎに、雄部材３０の突出部３２を雌部材２０のはめ込み部２１の内部に向かって上方から下方に向かって押し込むと、突出部３２の表面及びはめ込み部２１の表面に形成されている凹凸部８０が、互いに押されて弾性変形する。これにより、雄部材３０の突出部３２は、雌部材２０のはめ込み部２１の内部に容易に挿入することができる。
【００３０】
そして、一旦、雌部材２０のはめ込み部２１の内部に雄部材３０の突出部３２が挿入されると、はめ込み部２１の表面に形成された凹凸部８０が、突出部３２の表面に形成された凹凸部８０に噛み合い、両者はしっかりと固定される。これにより、雄部材３０及び雌部材２０が一体となって組み合わされ、引き戸下レール１０が完成する。
上述したように引き戸下レール１０は、レール溝１２の雄側レール斜面３３を有する雄部材３０と、レール溝１２の雌側レール斜面２２を有する雌部材２０とから分割されて形成されているため、両者を組み合わせることにより、レール溝１２を形成するための切削加工を施すことなく、容易にレール溝１２を形成することができる。
【００３１】
また、同様にして、レール溝１２の奥に凹状に形成するほこり溜め１１も容易に形成することができる。すなわち、雄部材３０と雌部材２０とを組むと、雄側レール斜面３３と雌側レール斜面２２との下方に雄側立設部３４と雌側立設部２３とが位置し、これらの底には張出部２４が位置して、ほこり溜め１１が形成される。このため、レール溝１２の奥深い位置に凹状の部分を加工で形成することなく、雄部材３０と雌部材２０とを組み合わせるだけで、ほこり溜め１１を容易に形成することができる。
【００３２】
また、このほこり溜め１１を形成するため、レール溝１２に入ったほこりは、先ず、レール溝１２の斜面に溜まることなく、ほこり溜め１１に溜まることになる。これにより、ほこりがレール溝１２の斜面の表面に付着して、レール溝１２の斜面を摺動する戸車５１の移動を阻害することを低減することができる。したがって、レール溝１２の斜面にほこりが付着しないように、頻繁に清掃する必要がなく、維持管理を容易なものとすることができる。
【００３３】
また、引き戸下レール１０は雄部材３０と雌部材２０という２つの部材により形成されているため、雄部材３０及び雌部材２０は、その各々の色模様をそれらが各々面する部屋の色模様に対応させて形成することができる。具体的には、引き戸下レール１０の色模様を、和室６０側に面する雌部材２０は和室６０の白木調の色模様に合わせ、洋室７０側に面する雄部材３０は洋室７０の黒っぽい色調の色模様に合わせることができる。これにより、引き戸下レール１０の色模様を各部屋の色模様に合わせることができて、各部屋の室内デザインを統一のとれたものとすることができる。また、色模様を統一させるための作業の手間を省くことができて、現場での組立を容易にすることができる。もちろん、本実施例においては、引き戸５０により分割する部屋は和室６０と洋室７０とであったが、分割される部屋の種類は特にこれに限定されるものではなく、和室同士、洋室同士でも各部屋の色模様が異なる場合に対応することができる。
【００３４】
さらに、引き戸下レール１０を、セルロース系材料の微粉末の表面に、この微粉末よりも小径でかつ固い微粉末を担持させて形成した粉体を混合した樹脂を着色成形することによって木目模様を呈するように形成したので、外部から見える部材に木目模様を出すことができる。また、各部材の色模様を各部材が面する部屋の色模様に合わせるために施す各部材の色彩の変化は、添加する顔料の選択によって容易に行うことができる。ここで「セルロース材料」とは木粉等をいう。また、「微粉末よりも小径でかつ固い微粉末」とは、酸化チタン、フェライト、アルミニウム、ニッケル、銀等の金属微粉末、あるいはセラミック等の非金属微粉末をいうものである。もちろん、引き戸下レール１０として使用可能な材料はこれに限定されるものではなく、押出用として使用される他の樹脂材等でも良い。
【００３５】
なお、本実施例において、雄部材３０の突出部３２は、雄側張出部３５から下方に向かって突出するように形成され、雌部材２０のはめ込み部２１は、雌側張出部２４から上方に向かって開口するように形成されているが、突出部３２及びはめ込み部２１の形状は特にこれに限定されるものではなく、雄部材３０の突出部３２を上方に向かって突出するように形成し、はめ込み部２１を下方に向かって開口するように形成しても良い。また、突出する方向は、上下方向に限らず、横方向あるいは斜め方向でもいずれの方向でも構わない。また、固定方法も、上述したものに限定されるものではなく、例えばアンカー状のものをはめ込み可能に形成したものでも良い。
【００３６】
次に、本発明の第２の実施例について説明する。
図４，５は本発明の第２実施例を示すものであり、図４は引き戸下レールの縦断面図、図５は引き戸下レールの分解組立図をそれぞれ示す。
本実施例は、洋室７０の洋室床部材７１の洋室床面７２と、和室６０の和室床部材６１の和室床面６２とが第１の実施例のように略面一の状態ではなく、和室床面６２の方が洋室床面７２より高い位置に形成されている場合に、和室６０と洋室７０との間に設置する引き戸５０を支持する引き戸下レール１０に関するものである。
【００３７】
すなわち、引き戸下レール１０の雌部材２０は第１の実施例と同一のものを使用しているが、雄部材３０は、雄部材３０と雌部材２０との上面が面一となるように段差を調整可能な段差調整部４２を備えている。この段差調整部４２は、洋室７０の洋室床部材７１の洋室床面７２と、和室６０の和室床部材６１の和室床面６２との高さ方向の段差を調整するためのものである。それ以外の部分は、第１の実施例と略同様であって同一の部分には同一の番号を付与して説明を省略している。
【００３８】
本実施例に係る引き戸下レール１０は、第１の実施例において説明した内容と略同様の作用及び効果を得ることができる。さらに、それらに加えて、本実施例に係る引き戸下レール１０の雄部材３０には、部屋間の段差を調整する段差調整部４２を備えているため、洋室床面７２及び和室床面６２が高さ方向に段差を有していても、雄部材３０及び雌部材２０の上面を面一にすることができる。これにより、部屋の床面間の段差を調整するために引き戸下レール１０とは別の他の調整材等を形成する必要もなく、現場作業を容易なものにすることができる。
【００３９】
次に、本発明の第３の実施例について説明する。
図６，７は本発明の第３の実施例を示すものであり、図６は引き戸下レールの縦断面図、図７は引き戸下レールの分解組立図をそれぞれ示す。
本実施例は、洋室７０の洋室床部材７１の洋室床面７２と、和室６０の和室床部材６１の和室床面６２とが第１の実施例のように略面一の状態において形成されている場合に、和室６０と洋室７０との間に設置する引き戸５０を支持する引き戸下レール１０に関するものである。
【００４０】
本実施例の特徴について第１の実施例と比較して説明する。
まず、雄部材３０が以下のように異なる。すなわち、第１の実施例に係る雄部材３０は、その突出部３２が雄部材３０の下側表面から下方に向かって１個のみ突出して、その両側面に凹凸部８０が形成されているのに対して、第３の実施例に係る雄部材３０は、２個の突出部３７が雄部材３０の下側表面から下方に向かって突出して、各突出部３７のはめ込み部２８に臨む表面に凹凸部８０が形成されている。なお、この２個の突出部３７は雌部材２０のはめ込み部２８に対応するように雄部材３０の長手方向に沿って平行に形成されている。また、第１の実施例の雄部材本体２５は縦断面形状が中空方形状であって内部に中空部１３を有し、床面上の調整材に当接するように形成されていたが、本実施例における雄部材本体２５は洋室床面７２と略面一に位置する平板状に形成されている。
【００４１】
そして、本実施例に係る雌部材２０の上面には、第１の実施例と同様に前記突出部３７がはめ込み可能なはめ込み部２８が形成され、このはめ込み部２８の内側には第１の実施例と同様な凹凸部８０が形成されている。また、本実施例に係る雌部材本体２５の和室床部材６１側の端部には、下方に向かって延びる鍔状の鍔部２６が形成されている。また、雌部材本体２５の下面には、下方の調整材に向かって延び、調整材の上面に当接して雌部材２０を支持する複数の支持脚部２７が形成されている。
【００４２】
上述した点が、第１の実施例と異なる点であって、その他の構成は第１の実施例と略同様の構成であって、第１の実施例と同様の部品には同一の部品番号を付与して説明を省略する。
本実施例においては、以下に述べるような作用及び効果を奏する。
雄部材３０の突出部３７を雌部材２０のはめ込み部２８の内部に押し込むと、２個の突出部３７のはめ込み部３７に面する一方側の側面がはめ込み部２８の内面に押されて、他方の側面側に弾性変形する。これにより、突出部３７をはめ込み部２８にはめ込むことができる。また、突出部３７をはめ込み部２８に押し込んだ後は変形した突出部３７が復元して突出部３７及びはめ込み部２８の凹凸部８０同士が噛み合うこととなり両者を固定することができる。
【００４３】
また、本実施例においては、雌部材２０の和室６０側の端部に鍔部２６を形成しているため、雌部材２０を配置する場合に和室床面６２と洋室床面７２との間の調整材１４の端部側面に鍔部２６が当接するように配置するだけで、雌部材２０の位置決めをすることができる。これにより、引き戸下レール１０の取付作業を容易にすることができる。
【００４４】
また、本実施例においては、雌部材２０の下面に脚部２７を形成している。このため、接合面の平面性に左右されることなく、安定した設置が可能となる。
次に、本発明の第４の実施例について説明する。
図８，９は本発明の第４の実施例を示すものであり、図８は引き戸下レールの縦断面図、図９は引き戸下レールの分解組立図をそれぞれ示す。
【００４５】
本実施例は、上述した第３の実施例と略同様であって、第３の実施例の引き戸下レール１０の雄部材３０の洋室７０側の端部に和室床面６２と洋室床面７２との段差を調整するための第２の実施例で説明した段差調整部４２を設けたものである。その他の構成は、上述した第２，３の実施例と略同様であって同一の部品には同一の部品番号を付与して説明を省略する。
【００４６】
本実施例においては、第２の実施例で説明したように段差調整部４２を設けたことにより、和室床面６２と洋室床面７２との間に段差を有する場合にも対応することができる。また、第３の実施例で説明したように、鍔部２６を形成したことにより雌部材２０の位置決めが容易となっている。そして、２個の突出部３７を形成したことにより雌部材２０と雄部材３０とのはめ込み作業が容易となっている。従って、現場作業も容易に行うことができる。
【００４７】
上述した第１乃至４の実施例で示したように、色模様が異なり、且つ段差を有する洋室７０及び和室６０の境目に対して、雌部材２０と、段差調整部４２を有しない雄部材３０と、段差調整部４２を有する雄部材３０との３種類の部材の組合せで対応することができる。
また、第２及び第４の実施例に係る雄部材３０は、図４及び図８に示す２点鎖線において切断して段差調整部４２を除去することにより、部屋間の床面に段差の無い場合にも適用することができる。さらに、段差調整部４２の高さ方向の途中において横方向に切断することにより、任意の段差にも適用することができる。このように切断を行うことにより、色模様が異なり、且つ段差を有する洋室７０及び和室６０の境目に対して、２種類の部材で対応することができる。
【００４８】
【発明の効果】
本発明は、以上のように構成されているので、以下に記載されるような効果を奏する。
請求項１記載の発明によれば、容易にレール溝を得ることができる引き戸下レールを提供することができる。
【００４９】
請求項２記載の発明によれば、床面に段差を有する部屋間に適用可能な引き戸下レールを提供することができる。
請求項３記載の発明によれば、引き戸により分割される部屋の表面の色模様が異なる場合、各部屋に面する部材の色模様を各部屋の色模様に対応することができ、室内デザインを統一することができる引き戸下レールを提供することができる。
【００５０】
請求項４記載の発明によれば、現場での組立作業が容易な引き戸下レールを提供することができる。
請求項５記載の発明によれば、ほこり溜めを形成することにより、清掃を頻繁にする必要がなく、維持管理が容易な引き戸下レールを提供することができる。請求項６記載の発明によれば、木目模様を呈するように形成した引き戸下レールを提供することができる。
【図面の簡単な説明】
【図１】本発明の第１実施例であって、引き戸下レールを示す縦断面図である。
【図２】本発明の第１実施例であって、引き戸下レールを示す分解組立図である。
【図３】本発明の第１実施例であって、引き戸下レールを示す拡大縦断面図である。
【図４】本発明の第２実施例であって、引き戸下レールを示す縦断面図である。
【図５】本発明の第２実施例であって、引き戸下レールを示す分解組立図である。
【図６】本発明の第３実施例であって、引き戸下レールを示す縦断面図である。
【図７】本発明の第３実施例であって、引き戸下レールを示す分解組立図である。
【図８】本発明の第４実施例であって、引き戸下レールを示す縦断面図である。
【図９】本発明の第４実施例であって、引き戸下レールを示す分解組立図である。
【符号の説明】
１０  引き戸下レール                    １１  ほこり溜め
１２  レール溝                          １３  中空部
１４  調整材
２０  雌部材                            ２１  はめ込み部
２２  雌側レール斜面                    ２３  雌側立設部
２４  雌側張出部                        ２５  雌部材本体
２６  鍔部                                                            ２７  支持脚部
２８  はめ込み部
３０    雄部材                            ３２  突出部
３３  雄側レール斜面                    ３４    雄側立設部
３５  雄側張出部                        ３６  雄部材本体
３７  突出部
４２  段差調整部                        ５０    引き戸
５１  戸車                              ６０  和室
６１  和室床部材                        ６２  和室床面
７０  洋室                              ７１  洋室床部材
７２  洋室床面                          ８０  凹凸部
【図１】
0003591605.tif 000002
【図２】
0003591605.tif 000003
【図３】
0003591605.tif 000004
【図４】
0003591605.tif 000005
【図５】
0003591605.tif 000006
【図６】
0003591605.tif 000007
【図７】
0003591605.tif 000008
【図８】
0003591605.tif 000009
【図９】
0003591605.tif 000010